(57)【要約】      （修正有）【課題】下水道側から建物側の配管への汚水や悪臭の逆流を防止し、鼠やゴキブリ等の侵入も防止し、また内部にゴミが溜まるのを防止し、構造が簡単で着脱が容易な逆止弁を組み込んだ排水枡を提供する。【解決手段】縦方向に中空部を備えた円筒状の枡本体５と、水平方向に向けて一体に連設されて枡本体内の中空部に連通する中空部を備えた円筒状の筒体と、筒体の一端に形成した上流側配管接続部６Ｂと、筒体の他端に形成した下流側配管接続部６Ｃとからなり、上流側配管接続部に建物側の配管を接続し、下流側配管接続部に他の下水本管側の配管を接続する排水枡において、枡本体５の内周下部と上流側配管接続部６Ｂの内周上部とが交わる部位にヒンジを取付け、ヒンジに輪郭を楕円状に形成した逆止弁１の上部を揺動自在に結合し、且つ逆止弁１の下端を上記筒体６の中空部６Ａの下面に沿わせながら、下流側配管接続部に向けて傾斜させる。【選択図】図３
2008215062.tif 000002
【特許請求の範囲】
【請求項１】
縦方向に中空部５Ｃを備えた円筒状の枡本体５と、この枡本体５の下部に水平方向に向けて一体に連設されて上記枡本体５内の中空部５Ｃに連通する中空部６Ａを備えた円筒状の筒体６と、上記筒体６の一端に形成した上流側配管接続部６Ｂと、同じく上記筒体６の他端に形成した下流側配管接続部６Ｃとからなり、上記上流側配管接続部６Ｂに建物側の配管３を接続し、同じく上記下流側配管接続部６Ｃに他の下水本管側の配管３を接続する排水枡において、枡本体５の内周下部と上記上流側配管接続部６Ｂの内周上部とが交わる部位にヒンジ２を取付け、このヒンジ２に輪郭を楕円状に形成した逆止弁１の上部を揺動自在に結合し且つ当該逆止弁１の下端を上記筒体６の中空部６Ａの下面６Ｄに沿わせながら上記下流側配管接続部６Ｃに向けて傾斜させたことを特徴とする排水枡。
【請求項２】
逆止弁１の建物側配管３の中空部３Ａに対向する背面１Ａを凹面状に形成し、下水本管側の配管３の中空部３Ｂに対向する正面１Ｂを凸面状に形成している請求項１の排水枡。
【請求項３】
筒体６の上部に円筒体６Ｅを起立し、この円筒体６Ｅを枡本体５の外周に嵌合して枡本体５に筒体６を一体に連設している請求項１又は２に記載の排水枡。
【請求項４】
枡本体５の内周又は円筒体６Ｅの内周に半円状に湾曲した支持板９を貼り付け、この支持板９の下部に逆止弁１の上部をヒンジ２Ａを介して揺動自在に結合させている請求項３に記載の排水枡。
【請求項５】
ヒンジ２Ａが支持板９と逆止弁１にそれぞれ形成した孔１０，１１と、これらの孔１０、１１に差込んだリング２Ｂとからなる請求項４に記載の排水枡。
【発明の詳細な説明】
【技術分野】
【０００１】
本発明は排水枡に関し、特に住宅、店舗等の建物側の配管と下水本管側の配管との間に介装して下水本管側からの逆流水や悪臭が建物側の配管中に逆流するのを防止し、同じく鼠、ゴキブリ等が建物側の配管に侵入するのを防止するようにした排水枡に関する。
【背景技術】
【０００２】
一般に住宅、店舗等の建物内における浴室等の排水用の配管は下水本管に接続して排水を下水道に放流しているが、建物側の配管と下水本管の途中に排水枡を介在させ、この排水枡の蓋を開けて視認することにより配管中の目詰まり等を点検している。
【０００３】
現在市販され、使用されている上記排水枡の基本的な構造は特許文献１、特許文献２に示すように、縦方向に中空部を備えた円筒状の枡本体と、この枡本体の下部に水平方向に向けて一体に連設されて上記枡本体内の中空部に連通する中空部を備えた円筒状の筒体と、上記筒体の一端に形成した上流側配管接続部と、同じく上記筒体の他端に形成した下流側配管接続部とからなるものである。
【０００４】
そして、建設・土木業者は上記の排水枡を仕入れた後に、この排水枡の上記上流側配管接続部に建物側の配管を接続し、同じく上記下流側配管接続部に他の下水本管側の配管を接続した状態で各家庭、企業、工場等の建物における敷地内に埋め込んでいる。
【０００５】
ところが、上記のような排水枡は空洞になっているため、昨今の異常気象による豪雨の被害が多発すると、例えば、下水本管からの汚水が溢れて排水枡を通過して建物側の配管から浴室、床等に逆流するという被害が発生し、保健衛生上好ましくない。
【０００６】
更に、気象条件に関係なく、上記と同じ経路を介して下水道側から悪臭が建物内に逆流して浸入し、あるいは鼠、ゴキブリ等が入り込んでくる場合もある。
【０００７】
そこで、排水枡の中に汚水や悪臭の逆流を防止したり、鼠やゴキブリ等の侵入を防止する逆止弁を設ける工夫も行われている。
【０００８】
しかしながら、上記従来の逆止弁では構造上の問題からポンプで圧送しない限り配管内にゴミが詰まるケースが多く、配管工事の設計図には明示されていても現実的には設置が避けられているのが現状である。  
また、上記の逆止弁を電磁弁で構成したようなものも開発されているが高価であったり、停電時や誤作動で作動しなかったりする不具合があり、この電磁弁の使用が回避される場合が多い。
【０００９】
更に、特許文献３、特許文献４に示すように、排水枡内に機械式の逆止弁を設けたものも開発され、これらは、排水枡に取り付けた流入側配管の出口に傾斜して機械式に逆止弁を設けたものである。
【００１０】
同様に、同じ機械式の逆止弁として、例えば、特許文献５に示すように、筒状の枡本体の両側に建物側の流入側配管と下水道側の流出配管とをそれぞれ接続し、このうち、一方の流出側配管の途中に比較的簡単な構造で楕円状の逆止弁を傾斜して組み込んだ逆流防止兼防臭弁付き排水枡も開発されている。
【特許文献１】特開２００７−０８５１７２号公報  （要約、図面参照）
【特許文献２】特開２００１−０６５０４６号公報  （段落００１９、図１参照）
【特許文献３】特開２００６−１８３４５４号公報  （要約、図面参照）
【特許文献４】特開２００６−２８３５４７号公報  （要約  図面参照）
【特許文献５】実開昭６２−１３８７８９号公報  （請求の範囲、図１参照）
【発明の開示】
【発明が解決しようとする課題】
【００１１】
しかしながら、上記特許文献３、特許文献４の排水枡では、逆止弁の取付機構が複雑で、市販の排水枡に簡単にとりつけ出来ず、実際に実施されるケースは少ない。
【００１２】
又、上記特許文献５に示す逆流防止兼防臭弁付き排水枡では次のような不具合がある。
【００１３】
第１に、流出側配管内に逆止弁を設けているので、逆止弁のみを単独で排水枡に取り付けるわけにはいかず、この逆止弁を備えた配管をいちいち購入したり製作して用意する必要があり、経済的に不利である。
【００１４】
第２に、上記逆止弁は上記のように配管の途中に取り付けているので、逆止弁の組付け操作が面倒であり、困難である。しかも、すでに建物の敷地内に埋設している既存の排水枡には直ちに適用できず、上記逆止弁を取り付けるには一度地中の排水枡と配管を掘り起こし、改めて逆止弁を設けた配管を排水枡に取り付け、再度敷地内に埋め込む作業が必要となり、工事が困難で、工事費が嵩み経済性において不利である。
【００１５】
第３に、逆止弁は流出側配管の途中に架設した軸棒と、この軸棒に胴部中間が回転自在に軸支された弁体からなるものであるから、弁体がいろいろな方向に回転しまい弁体が安定せず汚水等の逆流を適切に防止できない場合が生じるおそれがある。
【００１６】
そこで、本発明の目的は、下水道側の配管側から建物側の配管中に汚水や悪臭が逆流して浸入するのを防止し、併せて鼠やゴキブリ等の侵入も防止でき、また内部にゴミが溜まるのを防止でき、構造が簡単で着脱が容易な逆止弁を組み込んだ排水枡を提供することである。
【課題を解決するための手段】
【００１７】
上記の目的を達成するため、本発明の手段は、縦方向に中空部５Ｃを備えた円筒状の枡本体５と、この枡本体５の下部に水平方向に向けて一体に連設されて上記枡本体５内の中空部５Ｃに連通する中空部６Ａを備えた円筒状の筒体６と、上記筒体６の一端に形成した上流側配管接続部６Ｂと、同じく上記筒体６の他端に形成した下流側配管接続部６Ｃとからなり、上記上流側配管接続部６Ｂに建物側の配管３を接続し、同じく上記下流側配管接続部６Ｃに他の下水本管側の配管３を接続する排水枡において、枡本体５の内周下部と上記上流側配管接続部６Ｂの内周上部とが交わる部位にヒンジ２を取付け、このヒンジ２に輪郭を楕円状に形成した逆止弁１の上部を揺動自在に結合し且つ当該逆止弁１の下端を上記筒体６の中空部６Ａの下面６Ｄに沿わせながら上記下流側配管接続部６Ｃに向けて傾斜させたことを特徴とするものである。
【００１８】
この場合、逆止弁１の建物側配管３の中空部３Ａに対向する背面１Ａを凹面状に形成し、下水本管側の配管３の中空部３Ｂに対向する正面１Ｂを凸面状に形成しているのが好ましい。
【００１９】
同じく、筒体６の上部に円筒体６Ｅを起立し、この円筒体６Ｅを枡本体５の外周に嵌合して枡本体５に筒体６を一体に連設しても良い。
【００２０】
同じく、内周又は円筒体６Ｅの内周に半円状に湾曲した支持板９を貼り付け、この支持板９の下部に逆止弁１の上部をヒンジ２Ａを介して揺動自在に結合させても良い。
【００２１】
この場合、ヒンジ２Ａが支持板９と逆止弁１に形成した孔１０，１１と、これらの孔１０、１１に差込んだリング２Ｂとからなるのが好ましい。
【発明の効果】
【００２２】
各請求項の発明によれば次の効果を達成できる。
【００２３】
１）  枡本体５の内周下部と上記上流側配管接続部６Ｂの内周上部とが交わる部位に傾斜させながら逆止弁１の上部を揺動自在に結合しているので、建物側の配管３からの排水はこの逆止弁１を上方に押し上げて開かせることによりスムースに下水本管側の筒体３を介して下水道側に排水できる。
【００２４】
しかも、逆止弁は傾斜しながら筒体６の底面６Ｄに接触しているので筒体６内の中空部６Ａの途中を静止状態では閉じており、下水道側からの逆流水や悪臭が逆止弁で遮断されて建物側に浸入するのが防止され、建物側の洪水等による被害を防ぎ衛生が保たれる。
【００２５】
同様に鼠やゴキブリ等が侵入してくるのを防止でき、これらの小動物による疫病その他の被害を未然に防ぐことが出来る。
【００２６】
２）  枡本体５の内周下部と上流側配管接続部６Ｂの内周上部とが交わる部位にヒンジ２を取り付け、このヒンジ２に逆止弁１の上部を揺動自在に結合するものであるから、ヒンジと逆止弁のみを予め用意しておくだけで市販の排水枡のみならず、すでに建物の敷地内に埋め込んだ既設の排水枡にもこの逆止弁を簡単且つスピーディに取り付けて新たな排水枡を得ることができる。
【００２７】
３）  逆止弁１の輪郭が楕円状であるから、当該逆止弁１がヒンジ２又は２Ａを介して上下に揺動しても円筒状の筒体６の内周や底面６Ｄに引っ掛からずスムースに開閉作動する。
【００２８】
４）  逆止弁１の下端が筒体６の中空部６Ａの下面６Ｄに沿わせているから逆止弁１の下端とこの下面６Ｄとの間に段差が無く、その結果中空部６Ａの下面６Ｄ上にゴミや汚水が残留するのを防止できる。
【００２９】
５）  請求項２の発明によれば、逆止弁１が正面を凸面状に成形し、背面を凹面状に成形して湾曲させているので強度があり、逆流水が作用する水圧に対する耐久性を向上できる。
【００３０】
６）  請求項４、５の発明によれば、支持板９を枡本体５の内周又は円筒体６Ｅの内周に貼り付けるだけで逆止弁１を取り付けることが出来るから逆止弁１の取り付けが容易であり、修理や交換のために簡単に取り外すこともできる。
【発明を実施するための最良の形態】
【００３１】
以下本発明の実施の形態を図に基づいて説明する。
【００３２】
図１、図２は本発明の一実施の形態に係る排水枡を示し、図３乃至図８は他の実施の形態に係る排水枡と逆止弁を示す。
【００３３】
上記の各実施の形態に係る排水枡は、上記特許文献１、２等に開示されている従来の排水枡と同じく、縦方向に中空部５Ｃを備えた円筒状の枡本体５と、この枡本体５の下部に水平方向に向けて一体に連設されて上記枡本体５内の中空部５Ｃに連通する中空部６Ａを備えた円筒状の筒体６と、上記筒体６の一端に形成した上流側配管接続部６Ｂと、同じく上記筒体６の他端に形成した下流側配管接続部６Ｃとからなり、上記上流側配管接続部６Ｂに建物側の配管３を接続し、同じく上記下流側配管接続部６Ｃに他の下水本管側の配管３を接続するものである。
【００３４】
そして、各実施の形態に係る排水枡では、図２、図４から分かるように、枡本体５の内周下部と上記上流側配管接続部６Ｂの内周上部とが交わる部位にヒンジ２又は２Ａを糊、接着材で貼り付けて取付け、このヒンジ２又は２Ａに輪郭を楕円状に形成した逆止弁１の上部を揺動自在に結合し且つ当該逆止弁１の下端を上記筒体６の中空部６Ａの下面６Ｄに沿わせながら上記下流側配管接続部６Ｃに向けて傾斜させている。
【００３５】
この場合、逆止弁１は市販の排水枡や地中に埋め込んである既存の排水枡に蓋４は外してその都度後から取り付けるようになっている。このため、逆止弁を備えた新たな排水枡の成形が簡単且つスピーディに行え、しかも逆止弁が交換、修理の場合に簡単に取り外しできる。
【００３６】
上記の逆止弁１は図２、図５、図７から分かるように、建物側配管３の中空部３Ａに対向する背面１Ａを凹面状に形成し、下水本管側の配管３の中空部３Ｂに対向する正面１Ｂを凸面状に形成している。
【００３７】
図１、図２の実施の形態では、枡本体５と筒体６とが一体に形成されているが、図３、図４の他の実施の形態では、筒体６の上部に円筒体６Ｅを起立し、この円筒体６Ｅを枡本体５の外周に嵌合して枡本体５に筒体６を一体に連設している。
【００３８】
更に、図３、図４の排水枡では、円筒体６Ｅの内周に半円状に湾曲した支持板９を接着等で貼り付け、この支持板９の下部に逆止弁１の上部をヒンジ２Ａを介して揺動自在に結合させている。支持板９はボルト、ビス等で取り付けても良い。
【００３９】
図１の実施の形態においても、上記と同じ支持板９を枡本体５の内周に貼りつけて上記と同じ機構を採用しても良い。
【００４０】
この場合、ヒンジ２Ａが図５、図６に示すように、支持板９と逆止弁１にそれぞれ形成した孔１０，１１と、これらの孔１０、１１に差込んだリング２Ｂとで構成されている。
【００４１】
逆止弁１は図８に示すように、輪郭を楕円状に形成した平板で構成しても良い。
【００４２】
上記本発明の排水枡は、従来と同じく、上流側配管接続部６Ｂに建物側の配管３を接続し、下流側配管接続部６Ｃに他の下水本管側の配管３を接続し、建物側の配管３から流した排水を下水本管側の配管３を介して下水道へ流出させるものである。
【００４３】
即ち、図４に示すように、枡本体５と筒体６と配管３、３は建物の敷地内に地中に埋め込まれて使用され、建物側の配管３から建物側から排出された排水は建物側配管３−筒体６−下水本管側の配管３を介して下水側に排出させるものである。
【００４４】
更に、従来と同じく、配管３、３が目詰まりした場合には蓋４を開いて枡本体５の中空部５Ｃから点検するものである。
【００４５】
蓋４は図４に示すように鎖１０を介して枡本体５に結合しておくのが好ましい。
【００４６】
そして、本発明では、上記のように、逆止弁１の外周における輪郭を正面と背面から見て楕円状にしたことにより、当該逆止弁２の下部がヒンジ２又は２Ａを介して上下に揺動しても円筒状の筒体６の中空部６Ａにおける内周や底面に引っ掛からずスムースに開閉作動する。
【００４７】
また、  逆止弁１が中空部６Ｃの下面に沿わせながら下流側配管接続部３に向けて傾斜させているから、図１、図２に示すように、建物側の排水が自然な流れ方向８からながれた時はこの逆止弁１を自己の水圧で上方に向けて全開させてスムースに下水本管側の配管３に流出させることが出来るが、逆に下水本管側から汚水が逆流方向７から逆流してきてもこの汚水の水圧で逆止弁１は閉じ方向に附勢されて開かず建物側の配管３中には汚水を浸入させず、枡本体５の開口部から外部に排出させる。
【００４８】
更に、逆止弁１が傾斜して常に閉じているから下水道方向から悪臭が建物側に浸入するのが防止でき、併せて鼠、ゴキブリ等の小動物、害虫が住宅等の建物側に入るのを阻止できる。
【図面の簡単な説明】
【００４９】
【図１】本発明の一実施の形態に係わる排水枡に配管を接続した状態の平面部である。
【図２】図１の縦断側面図である。
【図３】他の実施の形態に係る排水枡の斜視図である。
【図４】図３に示す排水枡の縦断側面図である。
【図５】ヒンジと逆止弁の斜視図である。
【図６】図５のヒンジと逆止弁の縦断側面図である。
【図７】図５の逆止弁の横断平面図である。
【図８】他の実施の形態に係る逆止弁の斜視図である。
【符号の説明】
【００５０】
１      逆止弁
２      ヒンジ
２Ａ    ヒンジ  
３      配管
３Ａ    中空部
４      蓋
５      枡本体
６      筒体
６Ａ    中空部
６Ｂ    上流側配管接続部
６Ｃ    下流側配管接続部
６Ｄ    下面
６Ｅ    円筒体
１０    孔
１１    孔
【図１】
2008215062.tif 000003
【図２】
2008215062.tif 000004
【図３】
2008215062.tif 000005
【図４】
2008215062.tif 000006
【図５】
2008215062.tif 000007
【図６】
2008215062.tif 000008
【図７】
2008215062.tif 000009
【図８】
2008215062.tif 000010
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
縦方向に中空部５Ｃを備えた円筒状の枡本体５と、この枡本体５の下部に水平方向に向けて一体に連設されて上記枡本体５内の中空部５Ｃに連通する中空部６Ａを備えた円筒状の筒体６と、上記筒体６の一端に形成した上流側配管接続部６Ｂと、同じく上記筒体６の他端に形成した下流側配管接続部６Ｃとからなり、上記上流側配管接続部６Ｂに建物側の配管３を接続し、同じく上記下流側配管接続部６Ｃに他の下水本管側の配管３を接続し、更に筒体６の上部に円筒体６Ｅを起立し、この円筒体６Ｅを枡本体５の外周に嵌合して枡本体５に筒体６を一体に連設している排水枡において、上記円筒体６の内周下部であって上記上流側配管接続部６Ｂの内周上部と交わる部位に半円状に湾曲した支持板９を貼り付け、この支持板９の下部に逆止弁１の上部をヒンジ２Ａを介して揺動自在に吊下げて結合させ、当該逆止弁１を輪郭が楕円状に形成させると共に建物側配管３の中空部３Ａに対向する背面１Ａを凹面状に形成させ且つ下水本管側の配管３の中空部３Ｂに対向する正面１Ｂを凸面状に形成させ、上記ヒンジ２Ａが支持板９と逆止弁１とにそれぞれ形成した上下一対の孔１０，１１と、これらの孔１０、１１に差込んだ一対のリング２Ｂ、２Ｂとから構成され、上記逆止弁１の下端を上記筒体６の中空部６Ａの下面６Ｄに沿わせながら上記下流側配管接続部６Ｃに向けて傾斜させたことを特徴とする排水枡。
【手続補正２】
【補正対象書類名】明細書
【補正対象項目名】００１７
【補正方法】変更
【補正の内容】
【００１７】
上記の目的を達成するため、本発明の手段は、縦方向に中空部５Ｃを備えた円筒状の枡本体５と、この枡本体５の下部に水平方向に向けて一体に連設されて上記枡本体５内の中空部５Ｃに連通する中空部６Ａを備えた円筒状の筒体６と、上記筒体６の一端に形成した上流側配管接続部６Ｂと、同じく上記筒体６の他端に形成した下流側配管接続部６Ｃとからなり、上記上流側配管接続部６Ｂに建物側の配管３を接続し、同じく上記下流側配管接続部６Ｃに他の下水本管側の配管３を接続し、更に筒体６の上部に円筒体６Ｅを起立し、この円筒体６Ｅを枡本体５の外周に嵌合して枡本体５に筒体６を一体に連設している排水枡において、上記円筒体６の内周下部であって上記上流側配管接続部６Ｂの内周上部と交わる部位に半円状に湾曲した支持板９を貼り付け、この支持板９の下部に逆止弁１の上部をヒンジ２Ａを介して揺動自在に吊下げて結合させ、当該逆止弁１を輪郭が楕円状に形成させると共に建物側配管３の中空部３Ａに対向する背面１Ａを凹面状に形成させ且つ下水本管側の配管３の中空部３Ｂに対向する正面１Ｂを凸面状に形成させ、上記ヒンジ２Ａが支持板９と逆止弁１とにそれぞれ形成した上下一対の孔１０，１１と、これらの孔１０、１１に差込んだ一対のリング２Ｂ、２Ｂとから構成され、上記逆止弁１の下端を上記筒体６の中空部６Ａの下面６Ｄに沿わせながら上記下流側配管接続部６Ｃに向けて傾斜させたことを特徴とするものである。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
各請求項の発明によれば次の効果を達成できる。
１）  円筒体６Ｅの内周下部であって、上流側配管接続部６Ｂの内周上部とが交わる部位に傾斜させながら逆止弁１の上部を揺動自在に結合しているので、建物側の配管３からの排水はこの逆止弁１を上方に押し上げて開かせることによりスムースに下水本管側の筒体３を介して下水道側に排水できる。
しかも、逆止弁は傾斜しながら筒体６の底面６Ｄに接触しているので筒体６内の中空部６Ａの途中を静止状態では閉じており、下水道側からの逆流水や悪臭が逆止弁で遮断されて建物側に浸入するのが防止され、建物側の洪水等による被害を防ぎ衛生が保たれる。
同様に鼠やゴキブリ等が侵入してくるのを防止でき、これらの小動物による疫病その他の被害を未然に防ぐことが出来る。
２）  円筒体６Ｅの内周下部にリング２Ｂ，２Ｂからなるヒンジ２Ｅを取り付け、
このヒンジ２Ｅに逆止弁１の上部を揺動自在に結合するものであるから、支持板９と、リング２Ｂ，２Ｂと逆止弁１のみを予め用意しておくだけで市販の排水枡のみならず、すでに建物の敷地内に埋め込んだ既設の排水枡にもこの逆止弁１を簡単且つスピーディに取り付けて新たな排水枡を得ることができる。  
３）  逆止弁１の輪郭が楕円状であるから、当該逆止弁１がヒンジ２Ａを介して
上下に揺動しても円筒状の筒体６の内周や底面６Ｄに引っ掛からずスムースに開閉作動する。
４）逆止弁１の下端が筒体６の中空部６Ａの下面６Ｄに沿わせているから逆止弁１の下端とこの下面６Ｄとの間に段差が無く、その結果中空部６Ａの下面６Ｄ上にゴミや汚水が残留するのを防止できる。
５） 逆止弁１は正面を凸面状に成形し、背面を凹面状に成形して湾曲させてい  
るから強度があり、逆流水が作用する水圧に対する耐久性を向上できる。
６） 支持板９を円筒体６Ｅの内周に貼り付けるだけで逆止弁１を取り付けるこ
とが出来るから逆止弁１の取り付けが容易であり、修理や交換のために簡単に取り外すこともできる。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３２
【補正方法】変更
【補正の内容】
【００３２】
以下本発明の実施の形態を図に基づいて説明する。
図１、図２は本発明の基本的な実施の形態に係る排水枡を示し、図３乃至図７は請求項１の発明に対応する実施の形態に係る排水枡と逆止弁を示す。
【手続補正１７】
【補正対象書類名】明細書
【補正対象項目名】００４９
【補正方法】変更
【補正の内容】
【００４９】
【図１】本発明の基本的な実施の形態に係わる排水枡に配管を接続した状態の平面部である。
【図２】図１の縦断側面図である。
【図３】請求項１の発明に対応する実施の形態に係る排水枡の斜視図である。
【図４】図３に示す排水枡の縦断側面図である。
【図５】ヒンジと逆止弁の斜視図である。
【図６】図５のヒンジと逆止弁の縦断側面図である。
【図７】図５の逆止弁の横断平面図である。
【図８】他の実施の形態に係る逆止弁の斜視図である。